(57)【要約】【課題】明瞭な画像の読み取りをしつつ、より容易に小型化を図ることが可能なイメージセンサモジュールを提供すること。【解決手段】イメージセンサモジュール４Ａは、主走査方向に延びた線状光を読取対象物Ｄｃに向けて出射する線状光源４３と、読取対象物Ｄｃによって反射された光を受光する受光センサ４６と、読取対象物Ｄｃからの反射光を受光センサ４６に向けて進行させる光路変更手段４４と、読取対象物Ｄｃから受光センサ４６に至る光路上に配置されており、読取対象物Ｄｃからの反射光を受光センサ４６に結像させる結像手段４５と、を備える。光路変更手段４４は、対向配置された第１および第２の反射面４４１，４４２を備え、第１および第２の反射面４４１，４４２は、読取対象物Ｄｃによって反射された光を互いの間で複数回ずつ反射させる。【選択図】図３
2012134937.tif 000002
【特許請求の範囲】
【請求項１】
主走査方向に延びた線状光を読取対象物に向けて出射する線状光源と、
上記読取対象物によって反射された光を受光する受光センサと、
上記読取対象物からの反射光を上記受光センサに向けて進行させる光路変更手段と、
上記読取対象物から上記受光センサに至る光路上に配置されており、上記読取対象物からの反射光を上記受光センサに結像させる結像手段と、を備えたイメージセンサモジュールであって、
上記光路変更手段は、対向配置された第１および第２の反射面を備え、
上記第１および第２の反射面は、上記読取対象物によって反射された光を互いの間で複数回ずつ反射させることを特徴とする、イメージセンサモジュール。
【請求項２】
上記第１および第２の反射面は、主走査方向を含む平面に沿うように配置されている、請求項１に記載のイメージセンサモジュール。
【請求項３】
上記第１および第２の反射面は、上記読取対象物から離間する方向において対向配置されている、請求項２に記載のイメージセンサモジュール。
【請求項４】
上記光路変更手段は、上記第１および第２の反射面が対向する方向に対して傾斜させられた第３の反射面を備え、
上記第３の反射面は、上記第１および第２の反射面のいずれか一方によって反射された光を上記結像手段に向けて反射させる、請求項３に記載のイメージセンサモジュール。
【請求項５】
上記第３の反射面によって反射されて上記結像手段に向かう光は、上記第１および第２の反射面の間を通過する、請求項４に記載のイメージセンサモジュール。
【請求項６】
上記読取対象物によって反射された光は、上記読取対象物に対して上記第１の反射面よりも近接する上記第２の反射面と、上記結像手段との間に位置する入射部を通過して上記第１の反射面に向かう、請求項４または５に記載のイメージセンサモジュール。
【請求項７】
上記線状光源は、上記第２の反射面に対して上記入射部を挟んで反対側に配されている、請求項６に記載のイメージセンサモジュール。
【請求項８】
上記第１および第２の反射面は、それぞれ平面をなすとともに、互いに平行に配置されている、請求項１ないし７のいずれかに記載のイメージセンサモジュール。
【請求項９】
上記受光センサおよび上記結像手段を保持する第１のケースと、上記第１のケースに取り付けられ、上記光路変更手段および上記線状光源を保持する第２のケースと、を備える、請求項１に記載のイメージセンサモジュール。
【請求項１０】
上記第２のケースは、上記読取対象物によって反射された光を内部に入射させる入射部と、上記光路変更手段によって光路が変更された光を上記受光センサに向けて出射させる出射部と、を備える、請求項９に記載のイメージセンサモジュール。
【請求項１１】
上記第１および第２の反射面は、主走査方向を含む平面に沿うように配置されている、請求項１０に記載のイメージセンサモジュール。
【請求項１２】
上記第１および第２の反射面は、上記読取対象物から離間する方向において対向配置されている、請求項１１に記載のイメージセンサモジュール。
【請求項１３】
上記第２のケースの上記入射部は、透明板によって覆われており、
上記第２の反射面は、上記透明板の表面に形成された反射膜によって構成される、請求項１２に記載のイメージセンサモジュール。
【請求項１４】
上記光路変更手段は、上記第１および第２の反射面が対向する方向に対して傾斜させられた第３の反射面を備え、
上記第３の反射面は、上記第１および第２の反射面のいずれか一方によって反射された光を上記結像手段に向けて反射させる、請求項１２または１３に記載のイメージセンサモジュール。
【請求項１５】
上記第３の反射面によって反射されて上記結像手段に向かう光は、上記第１および第２の反射面の間を通過する、請求項１４に記載のイメージセンサモジュール。
【請求項１６】
上記第１および第３の反射面は、それぞれ、追加の透明板の表面に形成された反射膜によって構成される、請求項１４または１５に記載のイメージセンサモジュール。
【請求項１７】
上記線状光源は、上記第２の反射面に対して上記入射部を挟んで反対側に配されている、請求項１２ないし１６のいずれかに記載のイメージセンサモジュール。
【請求項１８】
上記第１のケースは、第１の接続用筒部を備え、
上記第２のケースは、上記出射部から外部に向かって延びる第２の接続用筒部を備え、
上記第２のケースは、上記第２の接続用筒部が上記第１の接続用筒部に嵌合された状態で上記第１のケースに取り付けられている、請求項１０ないし１７のいずれかに記載のイメージセンサモジュール。
【請求項１９】
上記結像手段は、結像用のレンズがレンズホルダに保持された構成を有し、
上記レンズホルダは、上記第１の接続用筒部に内嵌されており、
上記第２の接続用筒部は、上記第１の接続用筒部に外嵌されている、請求項１８に記載のイメージセンサモジュール。
【請求項２０】
上記第２のケースは、上記読取対象物の読取幅寸法に対応した長さ寸法を有する、主走査方向に延びた箱状とされており、
上記入射部は、主走査方向に並ぶ複数の入射領域を有し、
上記出射部は、上記複数の入射領域のそれぞれに対応させて複数設けられており、
上記第１のケースは複数設けられ、かつ、上記各第１のケースは、上記出射部に上記受光センサを臨ませた状態で上記第２のケースと接続される、請求項１０ないし１９のいずれかに記載のイメージセンサモジュール。
【請求項２１】
上記第１および第２の反射面は、それぞれ平面をなすとともに、互いに平行に配置されている、請求項９ないし２０のいずれかに記載のイメージセンサモジュール。
【請求項２２】
上記結像手段を当該結像手段から上記受光センサに向かう方向への位置調整するための、位置調整機構を備える、請求項９ないし２１のいずれかに記載のイメージセンサモジュール。
【請求項２３】
上記読取対象物によって反射された光が上記結像手段に至るまでの光路長を調整する光路長調整機構を備える、請求項９ないし２２のいずれかに記載のイメージセンサモジュール。
【請求項２４】
主走査方向に延びた線状光を読取対象物に向けて出射する線状光源と、
上記読取対象物によって反射された光を受光する受光センサと、
上記読取対象物からの反射光を上記受光センサに向けて進行させる光路変更手段と、
上記読取対象物から上記受光センサに至る光路上に配置されており、上記読取対象物からの反射光を上記受光センサに結像させる結像手段と、を備えたイメージセンサモジュールであって、
上記光路変更手段は、第１の反射鏡と、上記第１の反射鏡に対して副走査方向に離間し、かつ、副走査方向視において上記第１の反射鏡と重なる位置に配置された第２の反射鏡と、副走査方向視において上記結像手段と重なる位置に配置された第３の反射鏡と、を有しており、
上記結像手段、上記第１の反射鏡、および、上記第３の反射鏡を保持するケースと、
上記ケースの副走査方向における一方の端部に取り付けられ、上記受光センサを保持する基板と、を備えていることを特徴とする、イメージセンサモジュール。
【請求項２５】
上記線状光源は、主走査方向に沿って配列された複数のＬＥＤチップを有している、請求項２４に記載のイメージセンサモジュール。
【請求項２６】
上記複数のＬＥＤチップは、主走査方向における中央に配置された第１のＬＥＤチップの組と、主走査方向における端部に配置された第２のＬＥＤチップの組と、を含んでおり、
上記第１のＬＥＤチップの組における上記ＬＥＤチップ同士の間隔は、上記第２のＬＥＤチップの組における上記ＬＥＤチップ同士の間隔よりも長くなっている、請求項２５に記載のイメージセンサモジュール。
【請求項２７】
上記複数のＬＥＤチップが上記基板に搭載されている、請求項２５または２６に記載のイメージセンサモジュール。
【請求項２８】
上記第２の反射鏡が上記基板に固定されている、請求項２７に記載のイメージセンサモジュール。
【請求項２９】
副走査方向において上記基板よりも他方側に配置された追加の基板を備えており、
上記複数のＬＥＤチップは、上記追加の基板に搭載されている、請求項２５または２６に記載のイメージセンサモジュール。
【請求項３０】
上記第２の反射鏡が上記ケースに固定されている、請求項２９に記載のイメージセンサモジュール。
【請求項３１】
上記第３の反射鏡は、上記第１の反射鏡よりも副走査方向における他方側に配置されている、請求項２９または３０に記載のイメージセンサモジュール。
【請求項３２】
上記線状光源は、上記複数のＬＥＤチップが出射する光を透過させる導光板と、上記複数のＬＥＤチップが出射する光を反射させる反射部材と、を有しており、
上記導光板は、副走査方向における一方の端縁に沿って設けられた主走査方向に長く延びる光入射部と、副走査方向における他方に端縁に沿って設けられた主走査方向に長く延びる光出射部とを有しており、
上記反射部材は、上記光入射部および上記光出射部を露出させるように上記導光板を覆っている、請求項２５ないし３１のいずれかに記載のイメージセンサモジュール。
【請求項３３】
上記導光板は、副走査方向における他方に端縁に沿って設けられた複数の光散乱部を有しており、
上記複数の光散乱部は、主走査方向における中央に配置された第１の光散乱部の組と、主走査方向における端部に配置された第２の光散乱部の組と、を含んでおり、
上記第１の光散乱部の組における上記複数の光散乱部同士の間隔は、上記第２の光散乱部の組における上記複数の光散乱部同士の間隔よりも長くなっている、請求項３２に記載のイメージセンサモジュール。
【請求項３４】
上記線状光源は、主走査方向に長く延びる帯状反射面を有しており、
上記帯状反射面は、上記複数のＬＥＤチップが出射する光を上記読取対象物に向けて反射する、請求項２９ないし３１のいずれかに記載のイメージセンサモジュール。
【請求項３５】
上記帯状反射面は白色である、請求項３４に記載のイメージセンサモジュール。
【請求項３６】
上記結像手段は、主走査方向および副走査方向を含む平面に沿ってＤカットされたレンズを含んでいる、請求項２４ないし３５のいずれかに記載のイメージセンサモジュール。
【請求項３７】
請求項１ないし３６のいずれかに記載のイメージセンサモジュールと、このイメージセンサモジュールを副走査方向に往復動させる駆動手段と、を備えることを特徴とする、画像読取装置。
【発明の詳細な説明】
【技術分野】
【０００１】
本発明は、読取対象物に対して副走査方向に相対移動しつつ、主走査方向に延びるライン状の画像を順次読み取ることにより、二次元画像を読み取ることができるように構成されたイメージセンサモジュール、およびこのイメージセンサモジュールを備えた画像読取装置に関する。
【背景技術】
【０００２】
従来のこの種のイメージセンサモジュールは、たとえばフラットベッド型スキャナやシートフィード型スキャナなどの画像読取装置の構成部品として、当該画像読取装置に組み込まれて使用されている。
【０００３】
図１８は、イメージセンサモジュールが組み込まれた従来の画像読取装置の一例を示している（たとえば、特許文献１を参照）。同図に示された画像読取装置９０は、筐体９１内に収容されたイメージセンサモジュール９４を備えた縮小光学系のフラットベッド型スキャナである。筐体９１の厚み方向ｚにおける上部には透明なガラスカバー９２が嵌め込まれており、このガラスカバー９２の表面に読取対象物Ｄｃが載置される。さらに、筐体９１の上部には、開閉可能なカバー９３が取り付けられている。
【０００４】
イメージセンサモジュール９４は、線状光源９４１、反射鏡９４２，９４３，９４４、結像手段９４５、および受光センサ９４６を備え、これらはキャリッジ９４０に搭載されている。キャリッジ９４０は、駆動手段９５によって副走査方向ｙに往復動自在とされている。線状光源９４１は、副走査方向ｙに対して直角である主走査方向に延びる線状光を読取対象物Ｄｃに向けて照射する。反射鏡９４２，９４３，９４４は、読取対象物Ｄｃによって反射された線状光を結像手段９４５へ導くように配置された平面鏡である。読取対象物Ｄｃによって反射された光は、反射鏡９４２，９４３，９４４によって反射されることにより、結像手段９４５へと入射する。結像手段９４５は、読取対象物Ｄｃの縮小された倒立像を形成するレンズ部材を備えて構成されており、入射した光を受光センサ９４６に結像させる。反射鏡９４２，９４３，９４４、結像手段９４５、および、受光センサ９４６は、読取対象物Ｄｃによって反射された上記線状光を結像手段９４５によって受光センサ９４６に結像させる縮小光学系をなしている。受光センサ９４６は、主走査方向に配列された複数の受光部を有しており、受光した光を電気信号に変換する。画像読取装置９０は、キャリッジ９４０を副走査方向ｙに走査させることにより、読取対象物Ｄｃに記載された内容を電子データとして取り込むことができる。
【０００５】
上記のようなイメージセンサモジュール９４を用いて画像読取装置９０を構成する場合、読取対象物Ｄｃから受光センサ９４６までの光路長が長く、上記レンズ部材の被写界深度を深く設定することができる。このため、ガラスカバー９２から読取対象物Ｄｃが多少浮いた状態でもピンぼけを抑制した明瞭な画像を読み取ることができる。
【０００６】
その一方、読取対象物Ｄｃから受光センサ９４６までの光路長が長いことは、イメージセンサモジュールの大型化を招く要因となり得る。上記従来のイメージセンサモジュール９４では、複数の反射鏡９４２，９４３，９４４によって光路を折り返すことにより、イメージセンサモジュール９４の小型化を図りつつ必要な光路長を確保している。そして、反射鏡の数を更に増やせば、イメージセンサモジュールの更なる小型化が可能となる。
【０００７】
しかしながら、反射鏡の数が多いほど、読取対象物Ｄｃによって反射された上記線状光を結像手段に正確に導くためには、互いの位置関係を正確に規定することが強いられる。これにより、イメージセンサモジュールの製造工程が複雑化してしまう。
【先行技術文献】
【特許文献】
【０００８】
【特許文献１】特開２００７−９７０８２号公報
【発明の概要】
【発明が解決しようとする課題】
【０００９】
本発明は、上記した事情のもとで考え出されたものであって、明瞭な画像の読み取りをしつつ、より容易に小型化を図ることが可能なイメージセンサモジュール、およびこのイメージセンサモジュールを備えた画像読取装置を提供することを課題とする。
【課題を解決するための手段】
【００１０】
本発明の第１の側面によって提供されるイメージセンサモジュールは、主走査方向に延びた線状光を読取対象物に向けて出射する線状光源と、上記読取対象物によって反射された光を受光する受光センサと、上記読取対象物からの反射光を上記受光センサに向けて進行させる光路変更手段と、上記読取対象物から上記受光センサに至る光路上に配置されており、上記読取対象物からの反射光を上記受光センサに結像させる結像手段と、を備えたイメージセンサモジュールであって、上記光路変更手段は、対向配置された第１および第２の反射面を備え、上記第１および第２の反射面は、上記読取対象物によって反射された光を互いの間で複数回ずつ反射させることを特徴としている。
【００１１】
このような構成のイメージセンサモジュールによれば、読取対象物によって反射された光を対向配置された第１および第２の反射面の互いの間で複数回ずつ反射させる。このため、第１および第２の反射面の対向間隔を小さくすることでイメージセンサモジュールの小型化を図りつつ、縮小光学系の光路長を長く確保することができる。第１および第２の反射面のそれぞれにおいて複数回反射させる上記構成では、光路の折り返し回数よりも位置決めが必要な反射面の数が少ない。したがって、第１および第２の反射面の位置決めが容易に行え、第１および第２の反射面が搭載されるイメージセンサモジュールの製造工程の簡素化を図ることができる。さらに、第１および第２の反射面における光路の折り返し回数よりも反射面の数が少ないと、反射面の配置に必要なスペースを小さくすることができる。このことは、イメージセンサモジュールの小型化に資する。
【００１２】
本発明の好ましい実施の形態においては、上記第１および第２の反射面は、主走査方向を含む平面に沿うように配置されている。
【００１３】
本発明の好ましい実施の形態においては、上記第１および第２の反射面は、上記読取対象物から離間する方向において対向配置されている。
【００１４】
本発明の好ましい実施の形態においては、上記光路変更手段は、上記第１および第２の反射面が対向する方向に対して傾斜させられた第３の反射面を備え、上記第３の反射面は、上記第１および第２の反射面のいずれか一方によって反射された光を上記結像手段に向けて反射させる。
【００１５】
本発明の好ましい実施の形態においては、上記第３の反射面によって反射されて上記結像手段に向かう光は、上記第１および第２の反射面の間を通過する。
【００１６】
本発明の好ましい実施の形態においては、上記読取対象物によって反射された光は、上記読取対象物に対して上記第１の反射面よりも近接する上記第２の反射面と、上記結像手段との間に位置する入射部を通過して上記第１の反射面に向かう。
【００１７】
本発明の好ましい実施の形態においては、上記線状光源は、上記第２の反射面に対して上記入射部を挟んで反対側に配されている。
【００１８】
本発明の好ましい実施の形態においては、上記第１および第２の反射面は、それぞれ平面をなすとともに、互いに平行に配置されている。
【００１９】
本発明の好ましい実施の形態においては、上記受光センサおよび上記結像手段を保持する第１のケースと、上記第１のケースに取り付けられ、上記光路変更手段および上記線状光源を保持する第２のケースと、を備える。
【００２０】
本発明の好ましい実施の形態においては、上記第２のケースは、上記読取対象物によって反射された光を内部に入射させる入射部と、上記光路変更手段によって光路が変更された光を上記受光センサに向けて出射させる出射部と、を備える。
【００２１】
本発明の好ましい実施の形態においては、上記第２のケースの上記入射部は、透明板によって覆われており、上記第２の反射面は、上記透明板の表面に形成された反射膜によって構成される。
【００２２】
本発明の好ましい実施の形態においては、上記第１および第３の反射面は、それぞれ、追加の透明板の表面に形成された反射膜によって構成される。
【００２３】
本発明の好ましい実施の形態においては、上記第１のケースは、第１の接続用筒部を備え、上記第２のケースは、上記出射部から外部に向かって延びる第２の接続用筒部を備え、上記第２のケースは、上記第２の接続用筒部が上記第１の接続用筒部に嵌合された状態で上記第１のケースに取り付けられている。
【００２４】
本発明の好ましい実施の形態においては、上記結像手段は、結像用のレンズがレンズホルダに保持された構成を有し、上記レンズホルダは、上記第１の接続用筒部に内嵌されており、上記第２の接続用筒部は、上記第１の接続用筒部に外嵌されている。
【００２５】
本発明の好ましい実施の形態においては、上記第２のケースは、上記読取対象物の読取幅寸法に対応した長さ寸法を有する、主走査方向に延びた箱状とされており、上記入射部は、主走査方向に並ぶ複数の入射領域を有し、上記出射部は、上記複数の入射領域のそれぞれに対応させて複数設けられており、上記第１のケースは複数設けられ、かつ、上記各第１のケースは、上記出射部に上記受光センサを臨ませた状態で上記第２のケースと接続される。
【００２６】
本発明の好ましい実施の形態においては、上記結像手段を当該結像手段から上記受光センサに向かう方向への位置調整するための、位置調整機構を備える。
【００２７】
本発明の好ましい実施の形態においては、上記読取対象物によって反射された光が上記結像手段に至るまでの光路長を調整する光路長調整機構を備える。
【００２８】
本発明の第２の側面によって提供されるイメージセンサモジュールは、主走査方向に延びた線状光を読取対象物に向けて出射する線状光源と、上記読取対象物によって反射された光を受光する受光センサと、上記読取対象物からの反射光を上記受光センサに向けて進行させる光路変更手段と、上記読取対象物から上記受光センサに至る光路上に配置されており、上記読取対象物からの反射光を上記受光センサに結像させる結像手段と、を備えたイメージセンサモジュールであって、上記光路変更手段は、第１の反射鏡と、上記第１の反射鏡に対して副走査方向に離間し、かつ、副走査方向視において上記第１の反射鏡と重なる位置に配置された第２の反射鏡と、副走査方向視において上記結像手段と重なる位置に配置された第３の反射鏡と、を有しており、上記結像手段、上記第１の反射鏡、および、上記第３の反射鏡を保持するケースと、上記ケースの副走査方向における一方の端部に取り付けられ、上記受光センサを保持する基板と、を備えていることを特徴とする。
【００２９】
このような構成のイメージセンサモジュールによれば、読取対象物によって反射された光は、第１〜第３の反射鏡よって反射されて上記結像手段に到達し、上記受光センサへ結像される。第１の反射鏡と第２の反射鏡とは副走査方向視において重なるように配置されている。このような配置は、主走査方向および副走査方向と直交する方向において、上記第１の反射鏡および上記第２の反射鏡を設置するために必要な長さを軽減することができる。また、さらに、第３の反射鏡は副走査方向視において上記結像手段と重なる位置に配置されている。このことは、第３の反射鏡を設置することにより、主走査方向および副走査方向と直交する方向において上記ケースが長くなることを防ぐのに適している。一方、第１の反射鏡と第２の反射鏡とを副走査方向に離間させることにより、縮小光学系の光路長を長く確保することができる。従って、上記の構成によれば、主走査方向および副走査方向と直交する方向における長さを短くすることにより、イメージセンサモジュールの小型化を図ることが可能である。
【００３０】
本発明の好ましい実施の形態においては、上記線状光源は、主走査方向に沿って配列された複数のＬＥＤチップを有している。
【００３１】
本発明の好ましい実施の形態においては、上記複数のＬＥＤチップは、主走査方向における中央に配置された第１のＬＥＤチップの組と、主走査方向における端部に配置された第２のＬＥＤチップの組と、を含んでおり、上記第１のＬＥＤチップの組における上記ＬＥＤチップ同士の間隔は、上記第２のＬＥＤチップの組における上記ＬＥＤチップ同士の間隔よりも長くなっている。
【００３２】
本発明の好ましい実施の形態においては、上記複数のＬＥＤチップが上記基板に搭載されている。
【００３３】
好ましくは、上記第２の反射鏡が上記基板に固定されている。
【００３４】
本発明の別の好ましい実施の形態においては、副走査方向において上記基板よりも他方側に配置された追加の基板を備えており、上記複数のＬＥＤチップは、上記追加の基板に搭載されている。
【００３５】
好ましくは、上記第２の反射鏡が上記ケースに固定されている。
【００３６】
本発明の好ましい実施の形態においては、上記第３の反射鏡は、上記第１の反射鏡よりも副走査方向における他方側に配置されている。
【００３７】
好ましい一例においては、上記線状光源は、上記複数のＬＥＤチップが出射する光を透過させる導光板と、上記複数のＬＥＤチップが出射する光を反射させる反射部材と、を有しており、上記導光板は、副走査方向における一方の端縁に沿って設けられた主走査方向に長く延びる光入射部と、副走査方向における他方に端縁に沿って設けられた主走査方向に長く延びる光出射部とを有しており、上記反射部材は、上記光入射部および上記光出射部を露出させるように上記導光板を覆っている。
【００３８】
好ましくは、上記導光板は、副走査方向における他方に端縁に沿って設けられた複数の光散乱部を有しており、上記複数の光散乱部は、主走査方向における中央に配置された第１の光散乱部の組と、主走査方向における端部に配置された第２の光散乱部の組と、を含んでおり、上記第１の光散乱部の組における上記複数の光散乱部同士の間隔は、上記第２の光散乱部の組における上記複数の光散乱部同士の間隔よりも長くなっている。
【００３９】
好ましい別の例においては、上記線状光源は、主走査方向に長く延びる帯状反射面を有しており、上記帯状反射面は、上記複数のＬＥＤチップが出射する光を上記読取対象物に向けて反射する。より好ましくは、上記帯状反射面は白色である
【００４０】
本発明の好ましい実施の形態においては、上記結像手段は、主走査方向および副走査方向を含む平面に沿ってＤカットされたレンズを含んでいる。
【００４１】
本発明の第３の側面によって提供される画像読取装置は、本発明の第１または第２の側面により提供されるイメージセンサモジュールと、このイメージセンサモジュールを副走査方向に往復動させる駆動手段と、を備えることを特徴としている。このような画像読取装置によれば、本発明の第１または第２の側面によるイメージセンサモジュールの利点を享受することができる。
【００４２】
本発明のその他の特徴および利点は、添付図面を参照して以下に行う詳細な説明によって、より明らかとなろう。
【図面の簡単な説明】
【００４３】
【図１】本発明に係る画像読取装置の一例を示す平面図である。
【図２】図１のＩＩ-ＩＩ線に沿う断面図である。
【図３】図２の要部拡大図である。
【図４】イメージセンサモジュールの内部を示す平面図である。
【図５】本発明に係るイメージセンサモジュールの第２実施形態を示す図４と同様のである。
【図６】本発明に係るイメージセンサモジュールの第２実施形態を示す図３と同様の図である。
【図７】本発明に係るイメージセンサモジュールの第３実施形態を示す図４と同様のである。
【図８】本発明に係るイメージセンサモジュールの第３実施形態を示す図３と同様の図である。
【図９】結像手段の他の例を示す要部断面である。
【図１０】本発明に係る画像読取装置の別の例を示す平面図である。
【図１１】図１０のＸＩ−ＸＩ線に沿う断面図である。
【図１２】図１１の要部拡大図である。
【図１３】図１２のＸＩＩＩ−ＸＩＩＩ線に沿う断面図である。
【図１４】図１２のＸＩＶ−ＸＩＶ線に沿う要部断面図である。
【図１５】図１１に示す結像手段の正面図である。
【図１６】本発明に係る画像読取装置の別の例を示す断面図である。
【図１７】本発明に係る画像読取装置の別の例を示す断面図である。
【図１８】従来の画像読取装置の一例を示す断面図である。
【発明を実施するための形態】
【００４４】
以下、本発明の好ましい実施の形態につき、図面を参照して具体的に説明する。
【００４５】
図１〜図４は、本発明に係る画像読取装置またはイメージセンサモジュールの一例を示している。図１および図２に表れているように、本実施形態の画像読取装置Ａ１は、筐体１、ガラスカバー２、カバー３、イメージセンサモジュール４Ａ、駆動手段５、を備えて構成された縮小光学系のフラットベッド型スキャナである。なお、図１においては、筐体１の内部を示すために、ガラスカバー２およびカバー３を省略している。
【００４６】
筐体１は、図１に示すように、主走査方向ｘに一定幅を有し、副走査方向ｙに長く延びる箱状に形成されている。図２に示すように、筐体１の厚み方向ｚにおける上部には透明なガラスカバー２が嵌め込まれており、このガラスカバー２の表面に読取対象物Ｄｃが載置される。さらに、筐体１の上部には、開閉可能なカバー３が取り付けられている。カバー３は、読取対象物Ｄｃの記載内容の読取時にガラスカバー２を覆い、外部からの光を遮断することが可能である。この筐体１の内部には、イメージセンサモジュール４Ａおよび駆動手段５が収容されている。
【００４７】
図１〜図４に表れているように、イメージセンサモジュール４Ａは、ケース４１，４２と、線状光源４３と、光路変更手段４４と、結像手段４５と、受光センサ４６とを備えている。ケース４２は、副走査方向ｙに一定幅を有し、主走査方向ｘに長く延びる箱状に形成されており、ケース４２の主走査方向ｘにおける長さ寸法は、読取対象物Ｄｃの主走査方向ｘにおける読取幅ｗ１に対応している（図４参照）。ケース４２は、線状光源４３および光路変更手段４４を保持しており、ケース４１に取り付けられている。ケース４２の厚み方向ｚ（読取対象物Ｄｃから離間する方向）における上部は、透明板４２１によって覆われている。詳細は後述するが、透明板４２１の下面には、一部の領域（図３における図中右寄りの領域）を除いて反射鏡４４２が形成されている。透明板４２１のうち当該一部の領域は、読取対象物Ｄｃによって反射された光をケース４２の内部に入射させるための入射部４２２とされている。ケース４２の図中右端下寄りには、出射部４２３が形成されている。詳細は後述するが、出射部４２３は、光路変更手段４４によって光路が変更された光を受光センサ４６に向けて出射させる開口である。また、ケース４２には、出射部４２３から外部（図中右側の副走査方向ｙ）に向かって延びる接続用筒部４２４が形成されている。接続用筒部４２４は、ケース４２をケース４１に取り付けるための部分である。
【００４８】
ケース４１は、主走査方向ｘに延びる箱状に形成されており、ケース４１の主走査方向ｘにおける長さ寸法は、ケース４２の主走査方向ｘにおける長さ寸法よりも小とされている。ケース４１は、受光センサ４６および結像手段４５を保持している。図３によく表れているように、ケース４１の副走査方向ｙにおける右端には、受光センサ４６を搭載した基板４１１が取り付けられている。ケース４１の左寄りの部分には、図中左側の副走査方向ｙに向かって延びる接続用筒部４１２が形成されている。接続用筒部４１２の内面には、雌ねじ４１３が形成されている。上記したケース４２は、接続用筒部４２４を接続用筒部４１２に外嵌することにより、ケース４１に取り付けられている。上記構成のケース４１，４２は、たとえば合成樹脂からなる。
【００４９】
本実施形態のフラットベッド型スキャナとして構成された画像読取装置Ａ１において、ケース４１，４２は、キャリッジ４０を構成しており、後述する駆動手段５により副走査方向ｙに移動可能とされている。
【００５０】
線状光源４３は、読取対象物Ｄｃに対して線状光を照射するためのものであり、図１または図３に表れているように、基板４３１と、主走査方向ｘに延びる導光体４３２と、導光体ケース４３３とを有している。基板４３１は、たとえばガラスエポキシ樹脂またはセラミックからなり、導光体４３２の一端に位置している。基板４３１には、たとえば赤色光、緑色光、青色光を発する３つのＬＥＤチップ（図示略）が実装されている。導光体４３２は、たとえばアクリル樹脂からなり、その一端から入射した上記ＬＥＤチップからの光を、主走査方向ｘに延びる線状光として出射させる。導光体ケース４３３は、導光体４３２を保持するための合成樹脂製ケースである。かかる構成の線状光源４３は、上記した反射鏡４４２に対して入射部４２２を挟んで反対側に位置しており、入射部４２２に隣接するように配置されている。また、本実施形態では、線状光源４３は、ケース４２の接続用筒部４２４の上部に設けられている。
【００５１】
光路変更手段４４は、読取対象物Ｄｃからの反射光を受光センサ４６に向けて進行させるためのものであり、図３に表れているように、反射鏡４４１，４４２，４４３を備えている。反射鏡４４１，４４２は、読取対象物Ｄｃによって反射された光を互いの間で反射させるためのものであり、主走査方向ｘを含む平面に沿って対向配置されている。本実施形態では、図１、図３または図４に表れているように、反射鏡４４１，４４２は、主走査方向ｘに長く延びる長矩形状とされており、ケース４２の厚み方向ｚ（読取対象物Ｄｃから離間する方向）において対向配置されている。反射鏡４４１は、ケース４２の下部内側に設けられている。反射鏡４４２は、ケース４２の透明板４２１に設けられており、反射鏡４４１よりも読取対象物Ｄｃに近接している。また、本実施形態では、反射鏡４４１，４４２は、それぞれ副走査方向ｙに沿う姿勢とされており、互いに平行に配置されている。
【００５２】
反射鏡４４３は、反射鏡４４１，４４２によって反射された光を結像手段４５に向けて反射させるためのものであり、反射鏡４４１，４４２が対向する方向（厚み方向ｚ）に対して傾斜させられている。反射鏡４４３は、図４に表れているように、主走査方向ｘに延びる長矩形状とされており、反射鏡４４３の主走査方向ｘにおける長さは、反射鏡４４１，４４２の主走査方向ｘにおける長さよりも小とされている。
【００５３】
反射鏡４４１，４４２，４４３は、ガラス加工品または透明樹脂成型品からなる透明板４４４，４２１，４４５の表面に、アルミ等の反射膜とＳｉＯ2等の保護膜を成膜するこ
とにより作成される。上記保護膜の成膜は、たとえば蒸着またはスパッタリングによって行われる。
【００５４】
図３および図４に表れているように、受光センサ４６は、ケース４１の副走査方向ｙにおける右端に設けられた基板４１１に搭載されている。受光センサ４６は、主走査方向ｘに沿って配置された複数の受光部を備えた小型リニアセンサである。上記受光部は、光電変換機能を有しており、受光量に対応した出力レベルの画像信号を出力するように構成されている。受光センサ４６は、たとえば、画素ピッチ１．７６５μｍで画素数が１０３６８のものであり、主走査方向における長さが１８．３ｍｍ（解像度１４４００ＤＰＩ相当）となっている。
【００５５】
結像手段４５は、読取対象物Ｄｃからの反射光を受光センサ４６に結像させるためのものであり、結像用のレンズ４５１がレンズホルダ４５２に保持された構成を有する。レンズ４５１は、反射鏡４４３から進行してきた光を受光センサ４６に集光し、受光センサ４６に読取対象物Ｄｃの縮小された倒立像を結像する。レンズホルダ４５２の外面には、雄ねじ４５３が形成されており、この雄ねじ４５３をケース４１の雌ねじ４１３に螺合することにより、レンズホルダ４５２は、接続用筒部４１２に内嵌されている。雌ねじ４１３に対する雄ねじ４５３のねじ込み量を変えることにより、レンズ４５１（結像手段４５）について、結像手段４５から受光センサ４６に向かう方向への位置調整が可能とされている。なお、ケース４１とケース４２とが接続された状態において、上記受光センサ４６および結像手段４５は、ケース４２の出射部４２３に臨んでいる。
【００５６】
駆動手段５は、キャリッジ４０（ケース４１，４２）を副走査方向ｙに走査させるためのものであり、図１および図２に表れているように、１対の回転部５１，５２、無端ベルト５３、ガイドバー５４，５５、および駆動モータ５６を備えている。１対の回転部５１，５２は、それぞれが厚み方向ｚ周りに回転可能であり、副走査方向ｙにおいて離間配置されている。一方の回転部５１は、厚み方向ｚにおける下端に、上部に比べて大径とされた円盤部５１ａを備えている。この円盤部５１ａは、駆動モータ５６の回転部５６ａと接しており、回転部５６ａの回転に従って回転する。無端ベルト５３は、たとえばゴム製であり、１対の回転部５１，５２に掛け回されている。ガイドバー５４，５５は、筐体１内の主走査方向ｘにおける両端部に設けられている。ガイドバー５４，５５は、それぞれ副走査方向ｙに延びており、キャリッジ４０を副走査方向ｙに沿って直線的にかつ滑らかに走査させるためのものである。キャリッジ４０は、その底部が連結具４０ａを介して無端ベルト５３に連結されている。無端ベルト５３は、駆動モータ５６の回転部５６ａの回転に従って回転部５１が回転することにより、副走査方向ｙに沿って移動する。このとき、キャリッジ４０も無端ベルト５３とともに副走査方向ｙに沿って移動する。
【００５７】
上記した結像手段４５および受光センサ４６、ならびにこれらを収容保持するケース４１は、カメラを構成しており、反射鏡４４１，４４２，４４３、および上記カメラは、縮小光学系をなしている。画像読取装置Ａ１においては、キャリッジ４０を副走査方向ｙに走査させることにより、読取対象物Ｄｃに記載された内容を電子データとして取り込むことができる。
【００５８】
次に、上記構成のイメージセンサモジュール４Ａおよび画像読取装置Ａ１の作用について説明する。
【００５９】
本実施形態によれば、読取対象物Ｄｃの記載内容の読取時には、読取対象物Ｄｃで反射された線状光は、図３に示すように、反射鏡４４１，４４２，４４３で折り返されて結像手段４５へ到達する。より詳細には、読取対象物Ｄｃによって反射された光は、図中において光路を矢印で示すように、まず入射部４２２からケース４２内に入射し、反射鏡４４１に到達する。その後、反射鏡４４１において反射された光は、反射鏡４４１，４４２の互いの間で複数回ずつ（本実施形態では２回ずつ）反射し、反射鏡４４２によって反射された光が反射鏡４４３に到達する。反射鏡４４３は反射鏡４４１，４４２が対向する方向（厚み方向ｚ）に対して傾斜しているため、この反射鏡４４３によって反射された光は、反射鏡４４１と反射鏡４４２との間を通過して結像手段４５に向かう。そして、結像手段４５を経た反射鏡４４３からの反射光は、受光センサ４６において結像する。本実施形態では、読取対象物Ｄｃの主走査方向ｘにおける読取幅ｗ１（読取ライン）が１０９．８ｍｍである一方、受光センサ４６の主走査方向ｘにおける長さが１８．３ｍｍであり、読取ラインは受光センサ４６において１／６に縮小される。
【００６０】
本実施形態では、読取対象物Ｄｃによって反射された光を対向配置された反射鏡４４１，４４２の互いの間で複数回ずつ反射させる。このため、反射鏡４４１，４４２の対向間隔を小さくすることでケース４２（イメージセンサモジュール４Ａ）の小型化を図りつつ、縮小光学系の光路長を長く確保することができる。各反射鏡４４１，４４２において複数回反射させる本実施形態では、光路の折り返し回数よりも位置決めが必要な反射鏡４４１，４４２の数が少ない。したがって、当該反射鏡４４１，４４２の位置決めが容易に行え、反射鏡４４１，４４２が搭載されるイメージセンサモジュール４Ａの製造工程の簡素化を図ることができる。さらに、反射鏡４４１，４４２における光路の折り返し回数よりも反射鏡４４１，４４２の数が少ないと、反射鏡の配置に必要なスペースを小さくすることができる。このことは、イメージセンサモジュール４Ａの小型化に資する。
【００６１】
図３に示すように、線状光源４３は反射鏡４４２に対して入射部４２２を挟んで反対側に配され、反射鏡４４１，４４２は、ケース４２の厚み方向ｚ（読取対象物Ｄｃから離間する方向）において対向配置されている。また、反射鏡４４３は厚み方向ｚに対して傾斜しており、反射鏡４４３によって反射された光は反射鏡４４１，４４２の間を通過する。本実施形態では、線状光源４３、入射部４２２、反射鏡４４１，４４２，４４３が効率よくコンパクトに配置されており、反射鏡４４３からの反射光は反射鏡４４１，４４２における反射光と交差する。かかる構成によれば、光路長を確保しつつ、イメージセンサモジュール４Ａについてより一層の小型化が可能となる。
【００６２】
図５〜図１７は、本発明の他の実施形態を示している。なお、これらの図において、上記実施形態と同一または類似の要素には、上記実施形態と同一の符号を付しており、適宜説明を省略する。
【００６３】
図５および図６は、本発明に係るイメージセンサモジュールの他の例（第２実施形態）を示している。本実施形態のイメージセンサモジュール４Ｂは、上記実施形態のイメージセンサモジュール４Ａと同様に、たとえばフラットベッド型スキャナを構成するが、読取幅ｗ２が上記実施形態のイメージセンサモジュールよりも大（上記実施形態の２倍）とされている。
【００６４】
イメージセンサモジュール４Ｂは、読取幅ｗ２が上記実施形態よりも大であるのに伴って、ケース４２の主走査方向ｘにおける長さ寸法が上記実施形態よりも大とされており、これに伴って、光路変更手段４４を構成する反射鏡４４１，４４２，４４３に変更が加えられている。その一方、本実施形態のカメラを構成する部分（ケース４１およびこれに保持される受光センサ４６や結像手段４５）は、上記実施形態と同一である。
【００６５】
反射鏡４４１，４４２，４４３のそれぞれは、主走査方向ｘにおける長さが上記実施形態よりも大とされている。反射鏡４４１，４４２については、副走査方向ｙにおける長さが上記実施形態に比べて大とされるとともに、反射鏡４４１，４４２の対向間隔も上記実施形態に比べて大とされている。これにより、図６に表れているように、読取対象物Ｄｃによって反射された光は、反射鏡４４１，４４２の互いの間で３回ずつ反射して反射鏡４４３に到達する。また、反射鏡４４３から結像手段４５までの距離も上記実施形態に比べて大とされている。このように、読取対象物Ｄｃによって反射された光が結像手段４５に至るまでの光路長を調整することにより、本実施形態では上記実施形態に比べて縮小光学系の光路長がより長く確保されている。なお、本実施形態では、読取対象物Ｄｃの主走査方向ｘにおける読取幅ｗ２（読取ライン）が２１９．６ｍｍである一方、受光センサ４６の主走査方向ｘにおける長さが１８．３ｍｍであり、読取ラインは受光センサ４６において１／１２に縮小される。
【００６６】
本実施形態において、カメラを構成する部分（ケース４１およびこれに保持される受光センサ４６や結像手段４５）については上記実施形態と共通している。したがって、読取幅の異なる複数種類のイメージセンサモジュール４Ａ，４Ｂを製造するのに際し、部品コストを削減することができる。また、ケース４１とケース４２との接続は、接続用筒部４２４を接続用筒部４１２に外嵌するという共通の接続形式が採用されており、サイズの異なるケース４２と、共通のケース４１とを適確に接続することが可能である。接続用筒部４１２に内嵌される結像手段４５については、接続用筒部４１２に対するレンズホルダ４５２のねじ込み量を調整することにより、サイズの異なるケース４２に対応させてのレンズ４５１（結像手段４５）のピント調整が可能である。
【００６７】
図７および図８は、本発明に係るイメージセンサモジュールの他の例（第３実施形態）を示している。本実施形態のイメージセンサモジュール４Ｃは、読取幅ｗ３については上記実施形態のイメージセンサモジュール４Ｂと同一であるが、１つのケース４２に対して複数（本実施形態では２つ）のケース４１を備えている点がイメージセンサモジュール４Ｂと大きく相違する。すなわち、イメージセンサモジュール４Ｃは、２つのカメラ（ケース４１とこれに保持された結像手段４５および受光センサ４６）を備えている。
【００６８】
図７に表れているように、ケース４２において、入射部４２２は、読取幅ｗ３の約１／２を担う２つの入射領域４２２ａを有する。また、ケース４２には、２つの入射領域４２２ａに対応させて２つずつの出射部４２３および接続用筒部４２４が設けられている。なお、ケース４１とケース４２との接続構造は上記実施形態と同様であり、各ケース４１は、出射部４２３に受光センサ４６を臨ませた状態でケース４２と接続されている。
【００６９】
ケース４２の主走査方向ｘの長さ寸法は、読取幅ｗ３全長に対応されており、上記したイメージセンサモジュール４Ｂと同程度である。その一方、１つのカメラ（１つのケース４１が対応）による読取対象物Ｄｃの読取領域は、読取幅ｗ３の約１／２であり、図３、図４に表されたイメージセンサモジュール４Ａの読取幅ｗ１と略同一である。したがって、イメージセンサモジュール４Ｃにおける縮小光学系の光路長はイメージセンサモジュール４Ａと略同一であり、図３と図８とを対比すると明らかなように、反射鏡４４１，４４２の副走査方向ｙにおける長さは、イメージセンサモジュール４Ａと略同一である。反射鏡４４１，４４２は主走査方向ｘにおいて読取幅ｗ３全長にわたって一連に延びており、これら一対の反射鏡４４１，４４２が２つのカメラに向かうそれぞれの光路の変更を担う。その一方、反射鏡４４３については、各出射部４２３に対応するように２つ設けられている。
【００７０】
本実施形態のイメージセンサモジュール４Ｃによれば、読取幅ｗ３全長に対して、２つのカメラを用いて構成されており、各カメラによって読取幅ｗ３全長の約１／２の読取領域が読み取られる。したがって、読取幅が同一であるイメージセンサモジュール４Ｂと比べて、画像データの解像度を高めることができる。また、２つのカメラに向かう光路の変更を、上記した一対の反射鏡４４１，４４２によって行う。したがって、イメージセンサモジュール４Ｃにおいては、読取幅を長く確保し、かつ、解像度を高くしたうえで、位置合わせが必要な反射鏡４４１，４４２の数量は増やす必要がない。かかる構成は、イメージセンサモジュール４Ｃの小型化および製造工程の簡素化に資する。
【００７１】
本発明に係るイメージセンサモジュールおよび画像読取装置は、上述した実施形態に限定されるものではない。本発明にかかるイメージセンサモジュールおよび画像読取装置の各部の具体的な構成は、種々に設計変更自在である。
【００７２】
上記実施形態において、光路変更手段４４が反射鏡４４１，４４２，４４３によって構成される場合について説明したが、これに限定されない。光路変更手段４４としては、たとえば反射鏡４４３を具備しない構成としてもよい。また、反射鏡４４３（第３の反射面）を具備する場合においても、反射鏡４４３によって反射されて結像手段４５に向かう光が、反射鏡４４１，４４２（第１および第２の反射面）の間を通過しない構成としてもよい。
【００７３】
上記実施形態では、結像手段４５の結像用のレンズ４５１ついて、単一のレンズによって構成される場合を例に挙げて説明したが、これに限定されない。結像手段４５は、性能向上の観点から、たとえば図９に示すように複数のレンズ４５１を具備する構成としてもよい。
【００７４】
上記実施形態では、本発明に係るイメージセンサモジュールおよび画像読取装置をフラットベッド型スキャナに適用した場合を例に挙げて説明したが、これに代えて、たとえばファクシミリ装置等に採用されるシートフィード型スキャナに適用してもよい。シートフィード型スキャナの場合、筐体内にイメージセンサモジュールが固定され、筐体の上部に設置されたガラスカバーの表面に、プラテンによって読取対象物を押し付けつつ副走査方向に搬送するように構成される。
【００７５】
図１０〜図１５は、本発明に係る画像読取装置またはイメージセンサモジュールの他の例（第４実施形態）を示している。図１０および図１１に表れているように、本実施形態の画像読取装置Ａ２は、筐体１、ガラスカバー２、カバー３、イメージセンサモジュール６Ａ、駆動手段５、を備えて構成された縮小光学系のフラットベッド型スキャナである。なお、図１０においては、筐体１の内部を示すために、ガラスカバー２およびカバー３を省略している。
【００７６】
筐体１は、図１０に示すように、主走査方向ｘに一定幅を有し、副走査方向ｙに長く延びる箱状に形成されている。図１１に示すように、筐体１の厚み方向ｚ（主走査方向ｘおよび副走査方向ｙと直交する方向）における図中上部には透明なガラスカバー２が嵌め込まれており、このガラスカバー２の表面に読取対象物Ｄｃが載置される。さらに、筐体１の図１１中上部には、開閉可能なカバー３が取り付けられている。カバー３は、読取対象物Ｄｃの記載内容の読取時にガラスカバー２を覆い、外部からの光を遮断することが可能である。この筐体１の内部には、イメージセンサモジュール６Ａおよび駆動手段５が収容されている。
【００７７】
図１１〜図１４に表れているように、イメージセンサモジュール６Ａは、ケース６１と、基板６２と、線状光源６３と、光路変更手段６４と、結像手段６５と、受光センサ６６とを備えている。基板６２、線状光源６３、光路変更手段６４、結像手段６５、および受光センサ６６は、ケース６１に収容されている。ケース６１は、後述する駆動手段５により副走査方向ｙに移動可能とされている。
【００７８】
ケース６１は、副走査方向ｙに一定幅を有し、主走査方向ｘに長く延びる箱状に形成されている。一例として、ケース６１の副走査方向ｙにおける長さ寸法は５０ｍｍであり、ｚ方向における長さ寸法は１９．０ｍｍである。ケース６１の主走査方向ｘにおける長さ寸法は読取対象物Ｄｘの主走査方向ｘにおける読取幅ｗ１に対応している（図１３参照）。ケース６１は、副走査方向ｙにおける一方側（図１２中右側）に開口しており、この開口部を塞ぐように基板６２が取り付けられている。さらに、ケース６１は、厚み方向ｚにおける一方側（図１２中上側）に開口しており、この開口部に線状光源６３が嵌め込まれている。図１３に示すように、ケース６１の主走査方向ｘにおける両端部には、主走査方向ｘに凹む凹部６１１が形成されている。線状光源６３の主走査方向ｘにおける両端部はそれぞれ凹部６１１に嵌合している。
【００７９】
基板６２は、副走査方向ｙ視において、主走査方向ｘに長く延びる長矩形状に形成されている。図１２に示すように、基板６２は、副走査方向ｙ視においてケース６１の大部分と重なる大きさとなっている。
【００８０】
線状光源６３は、基板６２に搭載された複数のＬＥＤチップ６３１と、導光板６３２と、反射部材６３３と、を備えている。図１３に示すように、複数のＬＥＤチップ６３１は、主走査方向ｘに沿って配列されている。図１３に示す例では、複数のＬＥＤチップ６３１は、主走査方向ｘにおける中央に配置された第１のＬＥＤチップの組と、主走査方向ｘにおける両端部に配置された第２のＬＥＤチップの組とを含んでいる。第１のＬＥＤチップの組は、間隔Ｌ１を隔てて配置されたＬＥＤチップ６３１ａおよびＬＥＤチップ６３１ｂからなる。第２のＬＥＤチップの組は、間隔Ｌ２を隔てて配置されたＬＥＤチップ６３１ｃおよびＬＥＤチップ６３１ｄからなる。間隔Ｌ２は間隔Ｌ１よりも短くなっている。このように、複数のＬＥＤチップ６３１同士の間隔は、主走査方向ｘにおける中央部では比較的広く、主走査方向ｘにおける両端部では比較的狭くなるようになっている。
【００８１】
導光板６３２は、たとえばアクリル樹脂製であり、複数のＬＥＤチップ６３１が出射する光を透過させる。導光板６３２は、主走査方向ｘに長く延びる長板状に形成されており、光入射部６３２ａ、光出射部６３２ｂ、および、複数の光散乱部６３２ｃを備えている。光入射部６３２ａは、導光板６３２の副走査方向ｙにおける一方側の端縁に設けられており、主走査方向ｘに長く延びている。複数のＬＥＤチップ６３１が副走査方向ｙに向けて出射した光は、光入射部６３２ａから導光板６３２内部に取り込まれる。光出射部６３２ｂおよび光散乱部６３２ｃは、導光板６３２の副走査方向ｙにおける他方側の端縁に沿うように設けられている。図１２に示すように、光出射部６３２ｂは、導光板６３２の方向ｚにおける一方側の面に設けられており、主走査方向ｘに長く延びる帯状となっている。複数の光散乱部６３２ｃは、方向ｚにおける他方側の面に設けられている。図１３に示すように、複数の光散乱部６３２ｃは、主走査方向ｘに沿って二列に配列されている。図１２に示すように、各光散乱部６３２ｃは、たとえば、方向ｚに凹む凹部である。各光散乱部６３２ｃは、微小な凹凸が形成された粗面としても構わない。各光散乱部６３２ｃに入射した光は特定方向に全反射されることなく乱反射される。
【００８２】
図１３に示す例では、複数の光散乱部６３２ｃは、主走査方向ｘにおける中央に配置された第１の光散乱部６３２ｃの組と、主走査方向ｘにおける両端部に配置された第２の光散乱部６３２ｃの組とを含んでいる。第１の光散乱部６３２ｃの組は、間隔Ｌ３を隔てて配置された１対の光散乱部６３２ｃからなる。第２の光散乱部６３２ｃの組は、間隔Ｌ４を隔てて配置された１対の光散乱部６３２ｃからなる。間隔Ｌ４は間隔Ｌ３よりも短くなっている。このように、複数の光散乱部６３２ｃ同士の間隔は、主走査方向ｘにおける中央部では比較的広く、主走査方向ｘにおける両端部では比較的狭くなるようになっている。
【００８３】
反射部材６３３は、たとえば白色樹脂製であり、複数のＬＥＤチップ６３１から出射される光を反射させる。反射部材６３３は、光入射部６３２ａおよび光出射部６３２ｂを露出させるように導光板６３２を覆っている。このため、光入射部６３２ａから導光板６３２内に取り込まれた光は、反射部材６３３によって反射されながら導光板６３２内を副走査方向ｙにおける他方に向けて進行し、光出射部６３２ｂから導光板６３２の外側に向けて出射される。光出射部６３２ｂから出射される光は、光散乱部６３２ｃの作用もあり、読取対象物Ｄｃの帯状の領域を照明する。
【００８４】
光路変更手段６４は、読取対象物Ｄｃからの反射光を受光センサ６６に向けて進行させるためのものであり、図１２に表れているように、反射鏡６４１，６４２，６４３を備えている。反射鏡６４１は、ケース６１の副走査方向ｙにおける他方側に配置されている。反射鏡６４２は、反射鏡６４１に対して副走査方向ｙに離間するように、基板６２に固定されている。図１２に示すように、反射鏡６４２は、副走査方向ｙ視において、反射鏡６４１と重なる位置に配置されている。反射鏡６４３は、ケース６１の副走査方向ｙにおける他方側の、副走査方向ｙ視において結像手段６５と重なる位置に配置されている。ケース６１は、たとえば、平板状の反射鏡６４１および反射鏡６４３に嵌合する凹部を有しており、これらの凹部によって反射鏡６４１および反射鏡６４３を保持している。
【００８５】
図１２に示すように、反射鏡６４１および反射鏡６４３は、読取対象物Ｄｃからの光を副走査方向ｙに沿ってほぼ水平に反射するように傾斜させられている。反射鏡６４２の反射面は、反射鏡６４１からの光を反射鏡６４３へ向けて反射させるように傾斜させられている。
【００８６】
反射鏡６４１，６４２，６４３は、ガラス加工品または透明樹脂成型品からなる透明板の表面に、アルミ等の反射膜とＳｉＯ2等の保護膜を成膜することにより作成される。上記保護膜の成膜は、たとえば蒸着またはスパッタリングによって行われる。
【００８７】
図１２および図１４に表れているように、受光センサ６６は、ケース６１の副走査方向ｙにおける右端に設けられた基板６１に搭載されている。受光センサ６６は、主走査方向ｘに沿って配置された複数の受光部を備えた小型リニアセンサである。上記受光部は、光電変換機能を有しており、受光量に対応した出力レベルの画像信号を出力するように構成されている。受光センサ６６は、たとえば、画素ピッチ１．７６５μｍで画素数が１０３６８のものであり、主走査方向ｘにおける長さが１８．３ｍｍ（解像度１４４００ＤＰＩ相当）となっている。本実施形態では、受光センサ６６を保護するために透明保護板６６１および受光センサ用保護ケース６６２が設けられている。透明保護板６６１はたとえばアクリル製であり、受光センサ用保護ケース６６２によって支持されている。
【００８８】
結像手段６５は、読取対象物Ｄｃからの反射光を受光センサ６６に結像させるためのものであり、結像用のレンズ６５１，６５２，６５３と、レンズホルダ６５４と、小径ホルダ６５５とを備えている。図１２に示すように、レンズ６５１は小径ホルダ６５５に保持され、レンズ６５２およびレンズ６５３はレンズホルダ６５４に保持されている。レンズホルダ６５４は、ケース６１に固定されている。レンズホルダ６５４の副走査方向ｙにおける他方側に小径ホルダ６５５は取り付けられている。小径ホルダ６５５は、レンズホルダ６５４よりも方向ｚにおける長さが小さくなるように形成されている。
【００８９】
図１５には、結像手段４５の副走査方向ｙ視における正面図を示している。図１５に示すように、レンズ６５３は、副走査方向ｙ視において円形のレンズが主走査方向ｘおよび副走査方向ｙを含む平面に沿ってＤカットされたものである。レンズ６５１およびレンズ６５２も同様の形状のＤカットレンズである。これらのＤカットレンズを適切に収容可能なように、レンズホルダ６５４および小径ホルダ６５５もＤカット形状となっている。
【００９０】
レンズ６５３の元となる副走査方向ｙ視において円形のレンズを円柱状のレンズホルダに収容する場合、たとえば、直径１９ｍｍのレンズホルダを用意しなければならない。一方、本実施形態のようにＤカットレンズを用いると、レンズホルダ６５４の方向ｚにおける長さは８ｍｍ程度に抑えることが可能となる。
【００９１】
なお、図１２、図１４および図１５に示す結像手段６５は、一例に過ぎず、本発明に基づくイメージセンサモジュール６Ａは様々な形態の結像手段６５を採用し得る。たとえば、上記の例では、レンズホルダ６５４および小径ホルダ６５５がＤカット形状とされているが、Ｄカット形状のレンズホルダ６５４の方向ｚにおける長さよりも短い直径を有する円柱状の小径ホルダ６５５を用いてもよい。このような小径ホルダ６５５は、レンズ６５３の直径よりも小さな直径を有するレンズ６５１を収容するのに適している。
【００９２】
駆動手段５は、ケース６１を副走査方向ｙに走査させるためのものであり、図１０および図１１に表れているように、１対の回転部５１，５２、無端ベルト５３、ガイドバー５４，５５、および駆動モータ５６を備えている。１対の回転部５１，５２は、それぞれが厚み方向ｚ周りに回転可能であり、副走査方向ｙにおいて離間配置されている。一方の回転部５１は、厚み方向ｚにおける下端に、上部に比べて大径とされた円盤部５１ａを備えている。この円盤部５１ａは、駆動モータ５６の回転部５６ａと接しており、回転部５６ａの回転に従って回転する。無端ベルト５３は、たとえばゴム製であり、１対の回転部５１，５２に掛け回されている。ガイドバー５４，５５は、筐体１内の主走査方向ｘにおける両端部に設けられている。ガイドバー５４，５５は、それぞれ副走査方向ｙに延びており、ケース６１を副走査方向ｙに沿って直線的にかつ滑らかに走査させるためのものである。ケース６１は、その底部が連結具６０ａを介して無端ベルト５３に連結されている。無端ベルト５３は、駆動モータ５６の回転部５６ａの回転に従って回転部５１が回転することにより、副走査方向ｙに沿って移動する。このとき、ケース６１も無端ベルト５３とともに副走査方向ｙに沿って移動する。
【００９３】
上記した結像手段６５および受光センサ６６はカメラを構成しており、反射鏡６４１，６４２，６４３、および上記カメラは、縮小光学系をなしている。画像読取装置Ａ２においては、ケース６１を副走査方向ｙに走査させることにより、読取対象物Ｄｃに記載された内容を電子データとして取り込むことができる。
【００９４】
次に、上記構成のイメージセンサモジュール６Ａおよび画像読取装置Ａ２の作用について説明する。
【００９５】
本実施形態によれば、読取対象物Ｄｃの記載内容の読取時には、読取対象物Ｄｃで反射された線状光は、図１２に示すように、反射鏡６４１，６４２，６４３で折り返されて結像手段６５へ到達する。より詳細には、読取対象物Ｄｃによって反射された光は、図中において光路を矢印で示すように、まずケース６１内に入射し、反射鏡６４１に到達する。反射鏡６４１と読取対象物Ｄｃとの間の光路長は、たとえば１４．９ｍｍである。反射鏡６４１に到達した光は、副走査方向ｙに沿ってほぼ水平に進行して反射鏡６４２に到達する。反射鏡６４１と反射鏡６４２との間の光路長は、たとえば４２．９ｍｍである。反射鏡６４２で反射された光は反射鏡６４３に入射する。反射鏡６４２と反射鏡６４３との間の光路長は、たとえば４４．７ｍｍである。反射鏡６４３によって反射された光は、副走査方向ｙに沿ってほぼ水平に進行して結像手段６５を経て受光センサ６６において結像する。反射鏡６４３と受光センサ６６との間の光路長は、たとえば、４４．０ｍｍである。すなわち、本実施形態では、読取対象物Ｄｃと受光センサ６６との間に１４６．５ｍｍの光路長を確保することが可能である。このとき、たとえば、読取幅ｗ１（読取ライン）を１４０ｍｍとしたとき、受光センサ６６の主走査方向ｘにおける長さは１８ｍｍ程度で済む。
【００９６】
本実施形態では、反射鏡６４１および反射鏡６４２が、副走査方向ｙ視において重なる位置、すなわち、方向ｚにおいてほぼ同一の位置に配置されている。反射鏡６４１および反射鏡６４２が方向ｚにおいて異なる場所にある場合、両者を設置するスペースを確保するためにケース６１は方向ｚに長くなる傾向がある。反射鏡６４１および反射鏡６４２の方向ｚにおける位置を揃えることは、ケース６１の方向ｚにおける長さ寸法を縮小する上で望ましい構成である。
【００９７】
本実施形態では、反射鏡６４３が結像手段６５と副走査方向ｙ視において重なる位置、すなわち、方向ｚにおいて結像手段６５とほぼ同一の位置に配置されている。反射鏡６４３および結像手段６５が方向ｚにおいて異なる場所にある場合、両者を設置するスペースを確保するためにケース６１は方向ｚに長くなる傾向がある。反射鏡６４３および結像手段６５の方向ｚにおける位置を揃えることは、ケース６１の方向ｚにおける長さ寸法を縮小する上で望ましい構成である。
【００９８】
本実施形態における線状光源６３は、主走査方向ｘに沿って配列された複数のＬＥＤチップ６３１、導光板６３２および反射部材６３３によって構成されている。このような構成は、ＬＥＤチップ６３１が比較的小さな光源であるため、たとえば、光源として蛍光管を用いる場合と比較して方向ｚにおける長さ寸法を抑える上で適している。しかしながら、点光源であるＬＥＤチップ６３１を主走査方向ｘに沿って多数配列する構造では、読取対象物Ｄｃを読み取った画像にＬＥＤチップ６３１の像が写ることが起こり得る。本実施形態ではこのような事態が生じるのを防ぐために、複数のＬＥＤチップ６３１から出射された光を一旦導光板６３２に取り込み、内部で反射させつつ副走査方向ｙに沿って進行させる構成としている。複数の光散乱部６３２ｃによる散乱もＬＥＤチップ６３１の写りこみを防ぐ上で効果的である。
【００９９】
本実施形態における線状光源６３では、複数のＬＥＤチップ６３１が、主走査方向ｘに沿って均一ではなく、主走査方向ｘにおける中央ほど数が少なくなるように配列されている。このことは、光出射部６３２ｂから出射される光量が、主走査方向ｘに沿ってより均一とする上で望ましい構成である。各ＬＥＤチップ６３１から出射された光は、副走査方向ｙに向けて直進するわけではなく、主走査方向ｘに広がりながら導光板６３２内を進行する。このため、光出射部６３２ｂの主走査方向ｘにおける中央には、主走査方向ｘに沿って配列された全てのＬＥＤチップ６３１からの光が一定の水準で到達しやすい傾向がある。一方、光出射部６３２ｂの主走査方向ｘにおける一方の端部は、主走査方向ｘにおける他方の端部に配置されたＬＥＤチップ６３１から遠く、当該ＬＥＤチップ６３１からの光が極めて弱い状態となる傾向がある。このため、ＬＥＤチップ６３１を主走査方向ｘに沿って均一に並べてしまうと、光出射部６３２ｂから出射される光は、主走査方向ｘにおける中央が明るく、両端部が暗い状態となってしまう。本実施形態のようにＬＥＤチップ６３１の配置を調整することにより、このような問題を緩和することができる。さらに、本実施形態では、複数の光散乱部６３２ｃは主走査方向ｘにおける両端部ほど密となっている。光散乱部６３２ｃによって散乱された光の一部はそのまま光出射部６３２ｂから外部へ出射されるため、光散乱部６３２ｃの密度を増やすことで、主走査方向ｘにおける両端部での出射光量の向上を図ることができる。
【０１００】
本実施形態における結像手段６５は、Ｄカットされたレンズ６５１，６５２，６５３を備えた構成となっており、方向ｚにおける長さ寸法が、円形のレンズを用いた場合よりも短くなっている。このことは、結像手段６５を収容するケース６１の方向ｚにおける長さ寸法を小さくする上で望ましい構成である。
【０１０１】
以上のように、イメージセンサモジュール６Ａは、縮小光学系を成立させるのに十分な光路長を備えつつ、方向ｚにおける長さ寸法を縮小可能な構成を備えている。
【０１０２】
図１６は、本発明に係る画像読取装置またはイメージセンサモジュールの他の例（第５実施形態）を示している。図１６に示す画像読取装置Ａ３は、両面読取可能に構成されたシートフィード型スキャナの一例である。図１６に示すように、画像読取装置Ａ３は、読取対象物Ｄｃを挟んで配置された１対のイメージセンサモジュール６Ｂと、１対のガラスカバー２と、プラテンローラ７と、これらを収容する図示しない筐体を備えている。プラテンローラ７は、１対のガラスカバー２に挟まれた読取対象物Ｄｃを副走査方向ｙに沿って搬送する。１対のイメージセンサモジュール６Ｂは、同形のイメージセンサモジュール６Ｂを互いに逆向きとなるように配置されたものである。この型のスキャナでは、読取対象物Ｄｃが副走査方向ｙ沿って搬送されるため、１対のイメージセンサモジュール６Ｂは図示しない筐体内で固定されている。
【０１０３】
イメージセンサモジュール６Ｂは、ケース６１の形状がイメージセンサモジュール６Ａと異なっているが、多くの点においてイメージセンサモジュール６Ａと同様の構成を備えている。以下の説明では、イメージセンサモジュール６Ｂのイメージセンサモジュール６Ａと異なる点について説明を行い、同様の構成については説明を省略する。また、以下の説明では、１対のイメージセンサモジュール６Ｂのうち、図１６中下方に配置されたものについて行う。図１６中上方に配置されているイメージセンサモジュール６Ｂは、下方に配置されているものと全く同一の構成であるため、説明を省略する。
【０１０４】
図１６に示すように、画像読取装置Ａ３においては、プラテンローラ７を設置する必要がある。副走査方向ｙにおいて離間するプラテンローラ７同士の間に生じる空間の副走査方向ｙにおける長さは、たとえば３７ｍｍであり、この長さはイメージセンサモジュール６Ａにおけるケース６１の副走査方向ｙにおける長さ寸法よりも短くなっている。ケース６１の方向ｚにおける長さ寸法を小さくするためには、プラテンローラ７同士の間にイメージセンサモジュール６Ｂの方向ｚにおける図１６中上部を収容することが望ましい。このため、イメージセンサモジュール６Ｂのケース６１は、直方体形状ではなく、方向ｚにおける上側が副走査方向ｙにおいて比較的狭く、方向ｚにおける下側が副走査方向ｙにおいて比較的広くなるように形成されている。読取対象物Ｄｃとケース６１の方向ｚにおける図１６中最下部との距離は、たとえば２７．５ｍｍとなっている。
【０１０５】
ケース６１は、方向ｚにおける図１６中下部の副走査方向ｙにおける一方側（図中１６中右方）の端に開口部を有しており、この開口部に基板６２が取り付けられている。本実施形態の基板６２は、イメージセンサモジュール６Ａにおける基板６２と比べて方向ｚに短くなるように形成されている。これに伴い、イメージセンサモジュール６Ｂは、複数のＬＥＤチップ６３１を搭載するための基板６２１を基板６２とは別個に備えている。この基板６２１は、ケース６１に固定されている。
【０１０６】
また、基板６２がｚ方向に短く形成されているため、反射鏡６４２は、ケース６１に固定されている。さらに、ケース６１の方向ｚにおける図１６中下部の副走査方向ｙにおける他方側の端部は、ケース６１の方向ｚにおける図１６中上部の副走査方向ｙにおける他方側の端部よりも副走査方向ｙにおける他方側に位置している。反射鏡６４１は、ケース６１の方向ｚにおける上部の副走査方向ｙにおける他方側の端部に固定されており、反射鏡６４３は、ケース６１の方向ｚにおける下部の副走査方向ｙにおける他方側の端部に固定されている。このため、反射鏡６４３は、反射鏡６４１よりも副走査方向ｙにおける他方側に配置されている。
【０１０７】
本実施形態では、ケース６１の方向ｚにおける図１６中上部が副走査方向ｙにおいて比較的狭くなっており、反射鏡６４１と反射６４２との間の光路長が、たとえば２７．１ｍｍとなっている。反射鏡６４２と反射鏡６４３との光路長は、たとえば４４．３ｍｍとなっている。これらの値は、たとえば、イメージセンサモジュール６Ａの場合と比べて短いものである。しかしながら、本実施形態では、ケース６１の方向ｚにおける図１６中下部が広く形成されている。このため、反射鏡６４３と受光センサ６６との光路長は、たとえば５９．４ｍｍとなっている。従って、本実施形態では、読取対象物Ｄｃと受光センサ６６との間に１４５．７ｍｍの光路長を確保することが可能である。このとき、たとえば、読取幅ｗ１（読取ライン）を２２０ｍｍとしたとき、受光センサ６６の主走査方向ｘにおける長さは２７．５ｍｍ程度で済む。このように、イメージセンサモジュール６Ｂは、イメージセンサモジュール６Ａと同程度の性能の縮小光学系を備えたものとなる。
【０１０８】
さらに、イメージセンサモジュール６Ｂにおいても、反射鏡６４１，６４２，６４３および結像手段６５の方向ｚにおける配置はイメージセンサモジュール６Ａと同様となっている。このため、イメージセンサモジュール６Ｂの構成は、ケース６１の方向ｚにおける長さ寸法を小さくするのに適したものとなっている。また、上述したように、ケース６１の方向ｚにおける図１６上部がプラテンローラ７の間に入り込む構造となっているため、画像読取装置Ａ３の方向ｚにおける長さ寸法の縮小を図ることも可能である。
【０１０９】
図１７は、本発明に係る画像読取装置またはイメージセンサモジュールの他の例（第６実施形態）を示している。図１７に示す画像読取装置Ａ４は、画像読取装置Ａ３の場合と同様にシートフィード型スキャナの一例である。なお、簡略化のために、図１７では、読取対象物Ｄｃよりも方向ｚ下方の部分のみを示している。画像読取装置Ａ４では、１対のイメージセンサモジュール６Ｂのかわりに１対のイメージセンサモジュール６Ｃを備えており、その他の構成は画像読取装置Ａ３と同様である。
【０１１０】
イメージセンサモジュール６Ｃは、線状光源６３およびケース６１の線状光源６３を収容する部分の構成がイメージセンサモジュール６Ｂの場合と異なっており、その他の構成はイメージセンサモジュール６Ｂと同様となっている。イメージセンサモジュール６Ｃにおける線状光源６３は、導光板６３２を有しておらず、反射部材６３４を備えている。反射部材６３４は、主走査方向ｘに長く延びる帯状反射面６３４ａを有している。帯状反射面６３４ａは、複数のＬＥＤチップ６３１が出射する光を読取対象物Ｄｃに向けて反射する。図１７に示す例では、帯状反射面６３４ａは方向ｚにおいて読取対象物Ｄｃに近い部分ほど、副走査方向ｙにおいて複数のＬＥＤチップ６３１から遠ざかるように形成されている。反射部材６３４は、たとえば白色樹脂により形成されており、帯状反射面６３４ａは白色となっている。またさらに、複数のＬＥＤチップ６３１から出射された光が方向ｚに拡散しすぎるのを防止するために、方向ｚにおいて複数のＬＥＤチップ６３１を挟むように反射材を配置するのが望ましい。
【０１１１】
このような反射部材６３４を用いて、複数のＬＥＤチップ６３１からの光を読取対象物Ｄｃに向けて反射する場合、白色の帯状反射面６３４ａにおいて複数のＬＥＤチップ６３１からの光がある程度散乱される。このことは、ＬＥＤチップ６３１の写りこみを防ぐ上で効果的である。
【０１１２】
このような線状光源６３は、導光板６３２を用いる場合に比べて小型に形成しやすいものである。
【０１１３】
本発明に係るイメージセンサモジュールおよび画像読取装置は、上述した実施形態に限定されるものではない。本発明にかかるイメージセンサモジュールおよび画像読取装置の各部の具体的な構成は、種々に設計変更自在である。たとえば、イメージセンサモジュール６Ｃにおける帯状反射面６３４ａは、ＬＥＤチップ６３１からの光を副走査方向ｙにおける向きが変わらないように反射しているが、ＬＥＤチップ６３１からの光を副走査方向ｙにおいて向きが変わるように反射するようにしてもよい。具体的には、複数のＬＥＤチップ６３１を副走査方向ｙにおける他方から一方に向けて光を出射するように設置し、帯状反射面６３４ａが副走査方向ｙにおける一方から他方に向けて光を反射するようにしてもよい。この場合、帯状反射面６３４ａは、方向ｚにおいて読取対象物Ｄｃに近い部分ほど、副走査方向ｙにおいて複数のＬＥＤチップ６３１に近付くように形成される。
【符号の説明】
【０１１４】
Ａ１〜Ａ４  画像読取装置
Ｄｃ        読取対象物
ｘ          主走査方向
ｙ          副走査方向
ｚ          厚み方向
１          筐体
２          ガラスカバー
３          カバー
４Ａ，４Ｂ，４Ｃ    イメージセンサモジュール
５          駆動手段
４１        （第１の）ケース
４２        （第２の）ケース
４３        線状光源
４４        光路変更手段
４５        結像手段
４６        受光センサ
４１１      基板
４１２      （第１の）接続用筒部
４１３      雌ねじ
４２１      透明板
４２２      入射部
４２３      出射部
４２４      （第２の）接続用筒部
４３１      基板
４３２      導光体
４３３      導光体ケース
４４１      反射鏡（第１の反射面）
４４２      反射鏡（第２の反射面）
４４３      反射鏡（第３の反射面）
４４４，４４５  （追加の）透明板
４５１      レンズ
４５２      レンズホルダ
４５３      雄ねじ
６Ａ，６Ｂ，６Ｃ  イメージセンサモジュール
６１        ケース
６２        基板
６３        線状光源
６４        光路変更手段
６５        結像手段
６６        受光センサ
６２１      基板
６３１      ＬＥＤチップ
６３２      導光板
６３２ａ    光入射部
６３２ｂ    光出射部
６３２ｃ    光散乱部
６３３，６３４  反射部材
６３４ａ    帯状反射面
６４１      反射鏡（第１の反射鏡）
６４２      反射鏡（第２の反射鏡）
６４３      反射鏡（第３の反射鏡）
６５１，６５２，６５３  レンズ
６５４      レンズホルダ
６５５      小径ホルダ
６６１      透明保護板
６６２      受光センサ用保護ケース
７          プラテンローラ
【図１】
2012134937.tif 000003
【図２】
2012134937.tif 000004
【図３】
2012134937.tif 000005
【図４】
2012134937.tif 000006
【図５】
2012134937.tif 000007
【図６】
2012134937.tif 000008
【図７】
2012134937.tif 000009
【図８】
2012134937.tif 000010
【図９】
2012134937.tif 000011
【図１０】
2012134937.tif 000012
【図１１】
2012134937.tif 000013
【図１２】
2012134937.tif 000014
【図１３】
2012134937.tif 000015
【図１４】
2012134937.tif 000016
【図１５】
2012134937.tif 000017
【図１６】
2012134937.tif 000018
【図１７】
2012134937.tif 000019
【図１８】
2012134937.tif 000020